(57)【要約】【課題】ユーザが携帯通信装置を利用して、ユーザ所望の位置範囲内に存在する複数の他ユーザであって、ユーザ所望の条件に一致する他ユーザを検索することができるようにする。【解決手段】携帯通信装置１０５、１１１、１１２は、ユーザの操作に応答して、自機の現在位置に基づいて作成された位置的な検索範囲を含む検索条件を保持し、基地局装置１００へ送信する。基地局装置は、携帯通信装置１０５、１１１、１１２の現在位置を検出し、その現在位置に基づいて、携帯通信装置１０５、１１１、１１２から受信した複数の検索条件のうち相互に一致する検索条件を検索し、検索された検索条件の送信元である各対象携帯通信装置１０５、１１１に、相互に検索条件が一致した他ユーザが存在する旨の通知である通知データを送信する。【選択図】  図１
2004221827.tif 000002
【特許請求の範囲】
【請求項１】
複数の携帯通信装置と、前記複数の携帯通信装置との通信を行なう基地局装置とを含んだシステムであって、
各携帯通信装置が、
現在位置を取得する取得手段と、
検索条件を入力する入力手段と、
前記入力された検索条件と、前記取得した現在位置に関連した位置条件とを前記基地局装置へ送信する送信手段とを備え、
前記基地局装置が、
前記複数の携帯通信装置にそれぞれ対応した複数の現在位置を検出する検出手段と、
前記複数の携帯通信装置からそれぞれ送信された複数の位置条件及び検索条件を受信して記憶する記憶手段と、
前記検出された複数の現在位置と前記受信した複数の位置条件及び検索条件とに基づいて、前記複数の検索条件の中から、相互に検索条件を満足し合う検索条件を検索する検索手段と、
前記検索された検索条件の送信元である携帯通信装置に、検索条件を相互に満足し合う前記他ユーザが存在する旨の通知、又は、その携帯通信装置のユーザが前記他ユーザと連絡をとるための他ユーザ連絡情報を送信する送信手段とを備える検索システム。
【請求項２】
前記各携帯通信装置が、前記取得した現在位置に応じて所定範囲を位置条件として決定する決定手段を更に備える、
請求項１記載の検索システム。
【請求項３】
前記各携帯通信装置は、
外部から何らかのデータを受信したとき、サウンド、光、バイブレーション、及びイメージの少なくとも一つを出力する出力手段と、
前記外部から受信したデータが、前記基地局装置からの前記通知又は前記他ユーザ連絡情報であるときには、前記出力手段の出力動作の種類又は内容を通常のそれと異ならせる出力制御手段とを更に備える、
請求項１記載の検索システム。
【請求項４】
前記基地局装置の前記送信手段は、前記通知又は前記他ユーザ連絡情報に代えて又は加えて、前記携帯通信装置の前記出力手段の出力動作の種類又は内容を制御するための出力制御データを送信し、
前記携帯通信装置の前記出力制御手段は、前記基地局装置からの前記出力制御データに基づいて、前記出力手段の出力動作の種類又は内容を通常のそれと異ならせる、
請求項３記載の検索システム。
【請求項５】
前記出力制御データは、以下の（１）〜（８）のデータ、
（１）前記携帯通信装置に予め登録されている複数種類のサウンドの中から、所定のサウンドを選択して出力することを示すデータ、
（２）前記出力手段が発光可能な複数の色又は複数の発光パターンの中から、所定の色又は発光パターンを選択し、選択した色の光を発光する又は選択した発光パターンで発光することを示すデータ、
（３）前記携帯通信装置に予め登録されている複数種類のバイブレーションパターンの中から、所定のバイブレーションパターンを選択し、選択したバイブレーションパターンでバイブレーションを実行することを示すデータ、
（４）前記携帯通信装置に予め登録されている複数種類のイメージの中から、所定のイメージを選択し、選択されたイメージを表示することを表すデータ、
（５）サウンドデータと、そのサウンドデータに基づいてサウンドを出力することを表すデータとを含んだデータ、
（６）発光パターンデータと、その発光パターンデータが表す発光パターンで発光することを示すデータとを含んだデータ、
（７）バイブレーションパターンデータと、そのバイブレーションパターンデータが表すバイブレーションパターンでバイブレーションを実行することを示すデータとを含んだデータ、
（８）イメージデータと、そのイメージデータが表すイメージを表示することを表すデータとを含んだデータ、
のうちの少なくとも１つのデータが含まれたデータである、
請求項４記載の検索システム。
【請求項６】
前記携帯通信装置又は前記基地局装置が、前記ユーザから前記他ユーザに提供することを承認された前記ユーザに関するユーザ属性情報を入力する入力手段を更に有し、
前記基地局装置の前記送信手段は、前記携帯通信装置に、前記他ユーザについての前記ユーザ属性情報を送信する、
請求項１記載の検索システム。
【請求項７】
前記ユーザ属性情報には、前記ユーザの顔画像データが含まれる、
請求項６記載の検索システム。
【請求項８】
前記基地局装置は、
前記ユーザが前記他ユーザとどのように連絡を取り合うかの複数の通信方法の中から前記ユーザ所望の通信方法を選択させるためのＧＵＩ画面を、前記携帯通信装置に送信して表示させるＧＵＩ画面提供手段と、
前記ユーザ及び前記他ユーザの両方又は一方から前記ＧＵＩ画面上で選択された通信方法で、前記ユーザと前記他ユーザの携帯通信装置間で通信を行うことを可能にする通信制御手段とを更に備える、
請求項１記載の検索システム。
【請求項９】
前記基地局装置は、
前記検索された検索条件の数が一定数を超えた場合には、その検索条件を入力した各候補ユーザ毎に、２以上の他ユーザを一覧表示するための他ユーザリスト画面を作成して、前記各候補ユーザの携帯通信装置に前記他ユーザリスト画面を送信するリスト画面送信手段と、
前記携帯通信装置に表示された前記他ユーザリスト画面上で、前記ユーザ所望の他ユーザの選択を受ける他ユーザ選択手段とを更に備え、
前記基地局装置の前記送信手段は、前記一定数を超えた検索条件の中から、互いに選択された又は所定数以上の他ユーザから選択された選択ユーザの検索条件を特定し、前記選択候補ユーザの携帯通信装置に、前記通知又は前記他ユーザ連絡情報を送信する、
請求項１記載の検索システム。
【請求項１０】
通信ネットワーク上に備えられる基地局装置と通信可能な携帯通信装置において、
現在位置を取得する取得手段と、
検索条件を入力する入力手段と、
前記入力された検索条件と、前記取得した現在位置に関連した位置条件とを前記基地局装置へ送信する送信手段と、
前記基地局装置から、相互に検索条件を満足し合う他ユーザがいることの通知、又は該他ユーザと連絡をとるための他ユーザ連絡情報を受信する受信手段と
前記基地局装置から受信した前記通知又は前記他ユーザ連絡情報をユーザに報知する報知手段とを備える携帯通信装置。
【請求項１１】
複数の携帯通信装置と通信可能な基地局装置において、
複数の携帯通信装置にそれぞれ対応した複数の現在位置を検出する検出手段と、
前記複数の携帯通信装置からそれぞれ送信された複数の位置条件及び検索条件を受信して記憶する記憶手段と、
前記検出された複数の現在位置と前記受信した複数の位置条件及び検索条件とに基づいて、前記複数の検索条件の中から、相互に検索条件を満足し合う検索条件を検索する検索手段と、
前記検索された検索条件の送信元である携帯通信装置に、検索条件を相互に満足し合う前記他ユーザが存在する旨の通知、又は、その携帯通信装置のユーザが前記他ユーザと連絡をとるための他ユーザ連絡情報を送信する送信手段とを備える基地局装置。
【請求項１２】
携帯通信装置が、現在位置を取得するステップと、
携帯通信装置が、検索条件を入力するステップと、
携帯通信装置が、前記入力された検索条件と、前記取得した現在位置に関連した位置条件とを前記基地局装置へ送信するステップと、
基地局装置が、複数の前記携帯通信装置にそれぞれ対応した複数の現在位置を検出するステップと、
基地局装置が、複数の携帯通信装置からそれぞれ送信された複数の位置条件及び検索条件を受信して記憶するステップと、
基地局装置が、前記検出された複数の現在位置と前記受信した複数の位置条件及び検索条件とに基づいて、前記複数の検索条件の中から、相互に検索条件を満足し合う検索条件を検索するステップと、
基地局装置が、前記検索された検索条件の送信元である携帯通信装置に、検索条件を相互に満足し合う前記他ユーザが存在する旨の通知、又は、その携帯通信装置のユーザが前記他ユーザと連絡をとるための他ユーザ連絡情報を送信するステップと、
携帯通信装置が、前記基地局装置から受信した前記通知又は前記他ユーザ連絡情報をユーザに報知するステップとを有する検索方法。
【請求項１３】
通信ネットワーク上に備えられる基地局装置と通信可能な携帯通信装置としてコンピュータを動作させることが可能なコンピュータプログラムであって、
現在位置を取得するステップと、
検索条件を入力するステップと、
前記入力された検索条件と、前記取得した現在位置に関連した位置条件とを前記基地局装置へ送信するステップと、
前記基地局装置から、相互に検索条件を満足し合う他ユーザがいることの通知、又は該他ユーザと連絡をとるための他ユーザ連絡情報を受信するステップと
前記基地局装置から受信した前記通知又は前記他ユーザ連絡情報をユーザに報知するステップとをコンピュータに実行させるためのコンピュータプログラム。
【請求項１４】
複数の携帯通信装置と通信可能な基地局装置としてコンピュータを動作させることが可能なコンピュータプログラムであって、
複数の携帯通信装置にそれぞれ対応した複数の現在位置を検出するステップと、
複数の携帯通信装置からそれぞれ送信された複数の位置条件及び検索条件を受信して記憶するステップと、
前記検出された複数の現在位置と前記受信した複数の位置条件及び検索条件とに基づいて、前記複数の検索条件の中から、相互に検索条件を満足し合う検索条件を検索するステップと、
前記検索された検索条件の送信元である携帯通信装置に、検索条件を相互に満足し合う前記他ユーザが存在する旨の通知、又は、その携帯通信装置のユーザが前記他ユーザと連絡をとるための他ユーザ連絡情報を送信するステップとをコンピュータに実行させるためのコンピュータプログラム。
【発明の詳細な説明】
【０００１】
【発明の属する技術分野】
本発明は、携帯電話機又はＰＨＳ等の携帯通信装置を利用して通信ネットワーク上の基地局装置にアクセスすることにより所望の他ユーザを検索するための技術に関する。
【０００２】
【従来の技術】
従来、ユーザが携帯通信装置を用いて、複数の携帯通信装置の各々の位置を管理しているサーバに対して位置範囲を指定してメールを送信すると、サーバが、その指定された位置範囲内にいる他の携帯通信装置を特定し、特定された他の携帯通信装置へそのメールを送信する技術が知られている（例えば、参考文献１参照）。
【０００３】
【特許文献１】
特開２０００−２７０３５８号公報（例えば図２、図３、図２０及びそれに関連する説明参照）。
【０００４】
【発明が解決しようとする課題】
しかし、上記従来技術では、単に位置範囲を指定するにすぎないので、メールの送信先となる他ユーザが、必ずしも、ユーザが所望する他ユーザであるとは限らない。
【０００５】
従って、本発明の目的は、ユーザ所望の条件に一致する他ユーザを検索することができるようにすることにある。
【０００６】
【課題を解決するための手段】
本発明に従うシステムは、複数の携帯通信装置（例えば複数のユーザがそれぞれ使用するもの）と、前記複数の携帯通信装置との通信を行なう基地局装置とを含んだシステムである。各携帯通信装置は、（Ａ）現在位置を取得する取得手段と（例えば、ＧＰＳ装置により取得する又は基地局装置からそれの位置情報を受信することにより取得する手段）、（Ｂ）検索条件を入力する入力手段と、（Ｃ）前記入力された検索条件と、前記取得した現在位置に関連した位置条件とを前記基地局装置へ送信する送信手段とを備える。基地局装置は、（ａ）前記複数の携帯通信装置にそれぞれ対応した複数の現在位置を検出する検出手段と（例えば、携帯通信装置がＧＰＳ装置により取得した現在位置情報を受信することにより検出する、又は、携帯通信装置が通信している中継機の位置を検出し、検出されたその位置を携帯通信装置の位置として検出する手段と）、（ｂ）前記複数の携帯通信装置からそれぞれ送信された複数の位置条件及び検索条件を受信して記憶する記憶手段と、（ｃ）前記検出された複数の現在位置と前記受信した複数の位置条件及び検索条件とに基づいて、前記複数の検索条件の中から、相互に検索条件を満足し合う検索条件を検索する検索手段と、（ｄ）前記検索された検索条件の送信元である携帯通信装置に、検索条件を相互に満足し合う前記他ユーザが存在する旨の通知（例えば、現時点において検索されている検索条件の数（つまり他ユーザの数）を含んだ情報）、又は、その携帯通信装置のユーザが前記他ユーザと連絡をとるための他ユーザ連絡情報を送信する送信手段とを備える。
【０００７】
ここで、「検索条件」とは、例えば、タクシーの相乗りをしたい、又は或る品物を売りたい等のように、ユーザ自身の希望であっても良いし、タクシーの相乗りをしてくれる人、又は或る品物を買い取ってくれる人等のように、他ユーザに求める条件であっても良い。
【０００８】
また、「相互に検索条件を満足し合う」とは、例えば、タクシーの相乗りをしたい等のようにユーザと他ユーザの希望が合致したことであっても良いし、売りたい／買いたい等のようにユーザと他ユーザの目的が実質的に合致したことであっても良い。
【０００９】
本発明の好適な実施形態では、前記各携帯通信装置が、（Ｄ）前記取得した現在位置に応じて所定範囲を位置条件として例えば自動的に決定する決定手段を更に備える。
【００１０】
「位置条件」とは、例えば、位置的な検索対象範囲のことであり、一例を言えば、上記取得された現在位置に基づいて決定された所定領域（例えば現在位置を中心した所定半径の円）である。この場合、基地局装置の検索手段は、或る携帯通信装置からの位置条件及び検索条件について検索処理を実行するときは、その位置条件に合致しない現在位置にいる携帯電話機からの検索条件は検索対象から除き、その位置条件に合致する１以上の検索条件の中から、上記或る携帯通信装置からの検索条件と一致する検索条件を検索する。
【００１１】
本発明の好適な実施形態では、前記各携帯通信装置は、（Ｅ）外部から何らかのデータを受信したとき、サウンド、光、バイブレーション、及びイメージの少なくとも一つを出力する出力手段と、（Ｆ）前記外部から受信したデータが、前記基地局装置からの前記通知又は前記他ユーザ連絡情報であるときには、前記出力手段の出力動作の種類又は内容を通常のそれと異ならせる出力制御手段とを更に備える。更に、好適な実施形態では、前記基地局装置の前記送信手段は、前記通知又は前記他ユーザ連絡情報に代えて又は加えて、前記携帯通信装置の前記出力手段の出力動作の種類又は内容を制御するための出力制御データを送信し、前記携帯通信装置の前記出力制御手段は、前記基地局装置からの前記出力制御データに基づいて、前記出力手段の出力動作の種類又は内容を通常のそれと異ならせる。前記出力制御データは、例えば、以下の（１）〜（８）のデータ、
（１）前記携帯通信装置に予め登録されている複数種類のサウンドの中から、所定のサウンド（例えば、ユーザによって現在設定されていないサウンド、又は、他ユーザの携帯通信装置に登録されているサウンドと同一のサウンド）を選択して出力することを示すデータ、
（２）前記出力手段が発光可能な複数の色又は複数の発光パターンの中から、所定の色又は発光パターン（例えば、ユーザによって現在設定されていない色又は発光パターン、或いは、他ユーザの携帯通信装置に登録されている色又は発光パターンと同一のもの）を選択し、選択した色の光を発光する又は選択した発光パターンで発光することを示すデータ、
（３）前記携帯通信装置に予め登録されている複数種類のバイブレーションパターンの中から、所定のバイブレーションパターン（例えば、ユーザによって現在設定されていないバイブレーションパターン、又は、他ユーザの携帯通信装置に登録されているバイブレーションパターンと同一のもの）を選択し、選択したバイブレーションパターンでバイブレーションを実行することを示すデータ、
（４）前記携帯通信装置に予め登録されている複数種類のイメージの中から、所定のイメージ（例えば、ユーザによって現在設定されていないイメージ、又は、他ユーザの携帯通信装置に登録されているイメージと同一のイメージ）を選択し、選択されたイメージを表示することを表すデータ、
（５）サウンドデータと、そのサウンドデータに基づいてサウンドを出力することを表すデータとを含んだデータ、
（６）発光パターンデータと、その発光パターンデータが表す発光パターンで発光することを示すデータとを含んだデータ、
（７）バイブレーションパターンデータと、そのバイブレーションパターンデータが表すバイブレーションパターンでバイブレーションを実行することを示すデータとを含んだデータ、
（８）イメージデータと、そのイメージデータが表すイメージを表示することを表すデータとを含んだデータ、
のうちの少なくとも１つのデータが含まれたデータである。
【００１２】
本発明の別の好適な実施形態では、前記携帯通信装置又は前記基地局装置が、ユーザから前記他ユーザに提供することを承認された前記ユーザに関するユーザ属性情報を入力する入力手段を更に有し、前記基地局装置の前記送信手段は、前記携帯通信装置に、前記他ユーザについての前記ユーザ属性情報を送信する。前記ユーザ属性情報には、例えば、前記ユーザの顔画像データが含まれる。この顔画像データは、例えば、予め基地局装置に登録されている画像データであっても良いし、携帯通信装置に搭載されているデジタルカメラ機能によって撮影された画像データであっても良い。
【００１３】
本発明のまた別の好適な実施形態では、前記基地局装置は、（ｍ）前記ユーザが前記他ユーザとどのように連絡を取り合うかの複数の通信方法の中から前記ユーザ所望の通信方法を選択させるためのＧＵＩ画面を、前記携帯通信装置に送信して表示させるＧＵＩ画面提供手段と、（ｎ）前記ユーザ及び前記他ユーザの両方又は一方から前記ＧＵＩ画面上で選択された通信方法で、少なくとも２つの前記対象携帯通信装置間で通信を行うことを可能にする通信制御手段とを更に備える。
【００１４】
本発明の更に別の好適な実施形態では、前記基地局装置は、（ｐ）前記検索された検索条件の数が一定数を超えた場合には、各ユーザ毎に、２以上の他ユーザを一覧表示するための他ユーザリスト画面を作成して、前記各ユーザの携帯通信装置に前記他ユーザリスト画面を送信するリスト画面送信手段と、（ｑ）前記携帯通信装置に表示された前記他ユーザリスト画面上で、そのユーザ所望の他ユーザの選択を受ける他ユーザ選択手段とを更に備える。この場合、前記基地局装置の前記送信手段は、前記一定数を超えた検索条件の中から、互いに選択された又は所定数以上の他ユーザから選択された選択ユーザの検索条件を特定し、前記特定された検索条件の送信元のユーザの携帯通信装置に前記通知又は前記他ユーザ連絡情報を送信する。
【００１５】
本発明のまた別の好適な実施形態では、携帯電話機が入力する検索条件に、所望の他ユーザ数（換言すれば求める検索条件の数）が含まれていても良い（つまり、検索条件の一つとして他ユーザの数が入力できるようになっていても良い）。その場合、基地局装置は、携帯通信装置からの検索条件と相互に満足し合う検索条件（つまり検索された検索条件）の数が、その携帯通信装置からの検索条件に含まれている他ユーザ数に満たない場合には、以下の（１）又は（２）の処理、
（１）直ちに又は一定時間後にその旨の通知（例えば、現時点において検索されている検索条件の数（つまり他ユーザの数）を含んだ情報）をユーザに通知する、
（２）相互に満足し合う検索条件の数が上記他ユーザ数に達するまで待ち、一定時間待っても達しない場合には、その旨をユーザに通知する、又は、現時点において検索されている検索条件の数を通知し所望の他ユーザ数に達していなくても良いか否かをユーザに問い合わせ、良い旨の回答が入力されたときは、現時点において検索されている検索条件の送信元に、他ユーザ連絡情報又は他ユーザが存在する旨の通知を送信し、ダメな回答が入力されたときは例えばユーザの要求に応じて検索処理を中止する、更に一定時間待つ、或いは検索される検索条件が所望の他ユーザ数に達するまで待つ、の少なくとも１つを実行する。
【００１６】
本発明の更に別の好適な実施形態では、基地局装置の検索手段は、前記複数の検索条件及び位置条件のペアの中から、検索条件及び位置条件の双方を相互に検索条件を満足し合うペアを検索する。例えば、検索手段は、「渋谷区内」という位置条件がある場合には、それと同じ位置条件を持った検索条件及び位置条件のペアを検索する。
【００１７】
また、本発明のシステムを構成する複数の手段はコンピュータにより実施することができるが、そのためのコンピュータプログラムは、ディスク型ストレージ、半導体メモリ及び通信ネットワークなどの各種媒体を通じてコンピュータにインストール又はロードすることができる。
【００１８】
また、基地局装置は、一台又は複数台のコンピュータマシンで構成されている装置（又はシステム）である。
【００１９】
【発明の実施の形態】
以下、本発明の実施形態を説明する。
【００２０】
まず本発明の一実施形態におけるシステムの構成の概要について図１を用いて説明する。
【００２１】
図１において、１００は基地局装置（例えば、通信事業会社が運営するサーバマシン又は別の事業会社（例えばタクシー業者）が運営するサーバマシン）、１０１は保持手段、１０２は検索条件比較手段、１０３は通知データ作成手段、１０４は基地局装置の通信手段、１０５は携帯通信装置（例えば、携帯電話機、ＰＨＳ、或いはＰＤＡ等）、１０６は携帯通信装置の通信手段、１０７は検索条件作成手段、１０８は対象範囲情報作成手段、１０９は現在位置取得手段（例えばＧＰＳ信号を受信するＧＰＳ装置）、１１０は通知データ出力手段、１１１及び１１２は、図では省いてあるが１０５と同様の手段を含み同様の機能を有する携帯通信装置である。
【００２２】
携帯通信装置１０５、１１１及び１１２はそれぞれ、自機の現在位置を現在位置取得装置１０９によって取得し、対象範囲情報作成手段１０８により、取得された現在位置に基づいて検索対象範囲とするエリアの情報（以下、検索対象範囲情報）を作成する。この検索対象範囲情報は、例えば、取得された自機の現在位置（経度及び緯度）を中心として半径何メートルの円（又は楕円）であるかを表す情報であり、その円の半径は、固定又はユーザが任意に調節することが可能である。
【００２３】
検索条件作成手段１０７は、対象範囲情報作成手段１０８により作成された上述の検索対象範囲情報を含む検索条件を作成し、通信手段１０６を介して基地局装置１００に無線送信する。
【００２４】
基地局装置１００は、携帯通信装置１０５、１１１及び１１２の各々から、自機の通信手段１０４を介して検索条件を受信し、その検索条件を、メモリ或いはハードディスク等の保持手段１０１に保持させる。
【００２５】
また、基地局装置１００は、携帯通信装置１０５、１１１及び１１２の各々の現在位置を検出して、検出された現在位置も、保持手段１０１に保持させる。それの現在位置の検出方法は、例えば、携帯通信装置１０５、１１１及び１１２が取得した現在位置を各携帯通信装置から受信して検出する方法であっても良いし、或いは、携帯通信装置１０５、１１１及び１１２が通信している中継機の位置を検出し、検出された位置を携帯通信装置１０５、１１１及び１１２の位置と推定する方法であっても良い。
【００２６】
検索条件比較手段１０２は、基地局装置１００が新しい検索条件を受信してその新しい検索条件が保持手段１０１に保持される都度に、保持手段１０１に保持されている各携帯通信装置の現在位置に基づいて、保持手段１０１に保持されている複数の検索条件（上記新しい検索条件を含む）の各々を相互に比較する。その結果、相互に一致した検索条件がある場合は、基地局装置１００は、その相互に一致した検索条件の送信元である携帯通信装置（以下、これを「対象携帯通信装置」と言う）に送信する通知データを通知データ作成手段１０３により作成し、通信手段１０４を介してそれぞれの携帯通信装置に送信する。
【００２７】
具体的には、例えば、図１の携帯通信装置１０５と１１１が同じ検索条件であって、且つ、１０５のユーザが１１１の検索対象範囲内にいて、１１１のユーザが１０５の検索対象範囲内にいた場合には、基地局装置１００は、１０５と１１１の検索条件が相互に一致したと判断し、その携帯通信装置１０５と１１１に通知データを送信する。この場合、携帯通信装置１０５、１１１は、受信した通知データを通知データ出力手段１１０により出力する。これにより、対象携帯通信装置１０５及び１１１のユーザは、自分の現在位置を中心とした所定エリア内に、同じ検索条件を設定した他ユーザがいることを知ることができる。
【００２８】
なお、上述した実施形態において、「検索条件」とは、例えば、タクシーの相乗りをしたい、又は或る品物を売りたい等のように、ユーザ自身の希望であっても良いし、タクシーの相乗りをしてくれる人、又は或る品物を買い取ってくれる人等のように、他ユーザに求める条件であっても良い。
【００２９】
また、「相互に検索条件を満足し合う」とは、例えば、タクシーの相乗りをしたい等のようにユーザと他ユーザの希望が合致したことであっても良いし、売りたい／買いたい等のようにユーザと他ユーザの目的が実質的に合致したことであっても良い。
【００３０】
また、「通知データ」は、検索条件を相互に満足し合う他ユーザが存在する旨の通知であっても良いし（更に、何人の他ユーザがいるかを示す情報が含まれていても良い）、対象携帯通信装置の対象ユーザが、別の対象携帯通信装置の他ユーザと連絡をとるための他ユーザ連絡情報であっても良い。ここで、「他ユーザ連絡情報」は、例えば、基地局装置（又は通信ネットワーク上の所定の他のコンピュータマシン）に予め登録されているユーザ連絡先情報（例えば電話番号又は電子メールアドレス）の中から他ユーザに承認された連絡先であっても良いし、他ユーザが上記検索条件を入力する際に所定のタイミングで入力した連絡先であっても良い。
【００３１】
以下、図２を参照して、本発明の一実施形態に係る第１の実施例を説明する。
【００３２】
図２において、２００は基地局装置、２０１は保持手段、２０２は検索条件比較手段、２０３は着信メロディー作成手段、２０４は基地局装置の通信手段、２０５は携帯通信装置、２０６は携帯通信装置の通信手段、２０７は検索条件作成手段、２０８は現在位置を取得するためのＧＰＳ（Ｇｌｏｂａｌ  Ｐｏｓｉｏｎｉｎｇ  Ｓｙｓｔｅｍ）、２０９はＧＰＳで取得した現在位置情報に基づいて上記検索対象範囲情報を作成する対象範囲情報作成手段、２１０は着信メロディー出力手段、２１１及び２１２は、図では省いてあるが２０５と同様の手段を含み同様の機能を有する携帯通信装置である。
【００３３】
この第１の実施例での具体的な例として、携帯通信装置２０５、２１１、２１２のユーザが、タクシー乗り場でタクシー待ちをしている状態を考える。また、携帯通信装置２０５、２１１、２１２のユーザうち、２０５と２１１のユーザは帰る方向が同じであるとする。
【００３４】
以下、本発明の第１の実施例の動作を図３のフローチャートで説明する。
【００３５】
図３の３００で動作を開始する。
【００３６】
図３の３０１で、携帯通信装置２０５のＧＰＳ２０８が、現在位置を検出する。
【００３７】
図３の３０２で、携帯通信装置２０５のユーザは、タクシーの相乗りをする相手をさがすために、検索対象範囲情報の作成を指定する。すると、対象範囲情報作成手段２０９が、ユーザから、例えばディスプレイ画面を介して、現在位置を中心とした半径の長さの入力を受け付け、ユーザは、携帯通信装置２０５を操作して、例えば自分が現在位置するタクシー乗り場を中心として周囲３０ｍ内のような検索対象範囲情報が作成されるように、半径の長さとして「３０ｋｍ」を入力する。対象範囲情報作成手段２０９は、ユーザから入力された半径の長さと、ＧＰＳ２０８によって検出された現在位置とに基づいて、検索対象範囲情報を作成する。
【００３８】
次に、図３の３０３で、検索条件作成手段２０７が、ユーザから、例えばディスプレイ画面を介して、ユーザの目的地を表す検索条件の入力を受け付け、入力された目的地を検索条件として保持する。
【００３９】
なお、検索条件の入力方法は、勿論これに限られない。例えば、携帯通信装置が通信ネットワークを介して基地局装置又は図示しないサーバにアクセスして、アクセス先から所定のＧＵＩ画面（このＧＵＩ画面は予め携帯通信装置に登録されていても良い）を受信して表示し、そのＧＵＩ画面上に、検索条件を入力する方法がある。そのＧＵＩ画面は、検索条件として、例えば、ユーザ自身の目的（例えば「タクシーに乗る」、「物を売る」等）又は他ユーザに求める条件（例えば「タクシーに相乗りしてくれる」、「物を買ってくれる」等）を、複数のメニューから選択する或いは直接文字入力することができるようになっている。また、そのＧＵＩ画面は、更に、上記ユーザ自身の目的又は他ユーザに求める条件の目的／希望詳細情報を、複数のメニューから選択する或いは直接文字入力することができるようになっていても良い。「目的／希望詳細情報」とは、例えば、「タクシーに乗る」という目的を入力したときには、乗車地点又はエリア（例えば市町村及び番地、或いは建物名）、降車地点又はエリア、及び乗車予定時刻等の少なくとも一つを含んだ情報であり、別の例として、「物を売る」という目的を入力したときには、対象物品名、希望販売価格、希望販売場所、希望買い手属性（例えば、性別、年齢、居住場所等）等の少なくとも一つを含んだ情報である。
【００４０】
さて、検索条件作成手段２０７が、ユーザから検索条件を入力され保持したら、図３の３０４で、通信手段１０６が、上記検索対象範囲情報を含む、上記入力された検索条件を基地局装置２００へ無線送信する。
【００４１】
図３の３０５で、基地局装置２００は、携帯通信装置２０５から通信手段２０４を介して受信した検索条件を保持手段２０１に保持する。
【００４２】
図３の３０６で、基地局装置２００は、他の携帯通信装置２１１、２１２からも、図３の３０１から３０５までと同じ手順で入力された検索条件を受信して、保持手段２０１に保持する。
【００４３】
図３の３０７で、検索条件比較手段２０２は、保持手段２０１に保持されている携帯通信装置２０５、２１１、２１２の現在位置を基に、保持手段２０１に保持された携帯通信装置２０５、２１１、及び２１２にそれぞれ対応した複数の検索条件を相互に比較する。
【００４４】
図３の３０８で、上記比較した結果、相互に一致する検索条件がなければ、基地局装置２００は、携帯通信装置２０５、２１１、及び２１２から受信した検索条件を保持手段２０１に保持したままにし、新たに別の検索条件を受信するまで待つ。或いは、基地局装置２００は、図示しないエラー通知作成手段により、通信手段２０４を介して、各ユーザの携帯通信装置２０５，２１１，及び２１２に、検索条件に一致する他ユーザは存在しない旨のエラー通知を送信する。
【００４５】
一方、上記比較した結果、相互に一致する検索条件があれば（例えば、前述した例により、２０５と２１１の検索条件が相互に一致）、図３の３０９で、着信メロディー作成手段２０３が、検索条件が相互に一致した旨の通知のための着信メロディーのデータを作成し、図３の３１０で、通信手段２０４を介して、その着信メロディーデータを該当する携帯通信装置２０５、２１１に送信する。なお、この着信メロディーのデータは、送信する際に新たに作成されたものであっても良いし、予め基地局装置又は通信ネットワーク上の他のサーバ内に登録されている複数の着信メロディーデータの中から選択して取得されたものであっても良い。また、この着信メロディーデータは、検索条件が相互に一致した旨の通知のためのオリジナルのデータであっても良いし、その通知に限らず、例えば着信、或いは電子メールの受信時に出力することもできる汎用のデータであっても良い。
【００４６】
図３の３１１で、携帯通信装置２０５及び２１１は、基地局装置２００から受信した着信メロディーデータが表す着信メロディーを、着信メロディー出力手段２１０により出力する。なお、出力された着信メロディーが、通常の着信メロディーにないような（別の言い方をすれば、汎用の着信メロディーにないような）独自のものであれば、２０５と２１１のユーザが互いに近くにいた場合、各ユーザは、近くから同じ着信メロディーが聞こえて来るので、それにより、タクシーの相乗り条件に一致する（例えば目的地が同じ）ユーザを容易に認識することができる。
【００４７】
以上、述べてきたように、第１の実施例によれば、検索対象範囲となるエリア内にいて且つ検索条件が相互に一致する各ユーザ（以下、適宜に「対象ユーザ」と言う）を基地局装置２００が探し出し、基地局装置２００が、各対象ユーザの対象携帯通信装置に上記通知データ（例えば着信メロディーデータ）を送信し、その携帯通信装置が通知データを出力することで、各対象ユーザは、所望の他ユーザを容易に見つけることが可能となる。
【００４８】
尚、第１の実施例では、識別用の着信メロディーデータを基地局装置２００が作成したが、各携帯通信装置が独自に作成した又は予め持っている着信メロディーデータを基地局装置２００に送信し、基地居装置２００がそれを通知データとして保持し使用すれば、上記の第１の実施例と実質的に同様の効果が得られる。この場合、各携帯通信装置から受信した着信メロディーデータのうちどの着信メロディーデータを用いるかは、例えば、複数の対象ユーザのうち時間的に早くに受信した対象ユーザが作成した着信メロディーデータを使用する。その場合でも、同じ着信メロディーが出力されることになるので、各対象ユーザは、相手となる他ユーザを認識することは可能なので同様の効果が得られる。
【００４９】
次に、本発明の一実施形態における第２の実施例を、図４を参照して説明する。
【００５０】
図４において、４００は基地局装置、４０１は保持手段、４０２は検索条件比較手段、４０３は画像保持手段、４０４は基地局装置の通信手段、４０５は携帯通信装置、４０６は携帯通信装置の通信手段、４０７は検索条件作成手段、４０８は現在位置を取得するためのＧＰＳ（Ｇｌｏｂａｌ  Ｐｏｓｉｏｎｉｎｇ  Ｓｙｓｔｅｍ）、４０９はＧＰＳで取得した現在位置情報から対象範囲情報を作成する対象範囲情報作成手段、４１０は画像出力手段、４１１はデジタルカメラ、４１２及び４１３は、図では省いてあるが４０５と同様の手段を含み同様の機能を有する携帯通信装置である。
【００５１】
この第２の実施例での具体的な例として、第１の実施例と同様に携帯通信装置４０５、４１２、４１３がタクシー乗り場でタクシー待ちをしている状態を考える。また、携帯通信装置４０５、４１２、４１３のユーザうち、４０５と４１２のユーザは帰る方向が同じであるとする。
【００５２】
以下、本発明の第２の実施例の動作を図５のフローチャートで説明する。
【００５３】
図５の５００で動作を開始する。
【００５４】
図５の５０１で、携帯通信装置４０５のＧＰＳ４０８が、現在位置を検出する。
【００５５】
図５の５０２で、携帯通信装置４０５のユーザは、タクシーの相乗りをする相手をさがすために、検索対象範囲情報の作成を指定する。すると、対象範囲情報作成手段４０９が、ユーザから、例えばディスプレイ画面を介して、現在位置を中心とした半径の長さの入力を受け付け、ユーザは、携帯通信装置４０５を操作して、例えば自分が現在位置するタクシー乗り場を中心として周囲３０ｍ内のような検索対象範囲情報が作成されるように、半径の長さとして「３０ｍ」を入力する。対象範囲情報作成手段４０９は、ユーザから入力された半径の長さと、ＧＰＳ２０８によって検出された現在位置とに基づいて、検索対象範囲情報を作成する。
【００５６】
次に、図５の５０３で、ユーザはデジタルカメラ４１０で自分の顔を撮影する。
【００５７】
図５の５０４で、検索条件作成手段２０７が、図３の３０３と同様の方法で、ユーザから入力された検索条件を保持する。
【００５８】
図５の５０５で、通信手段４０６が、上記検索対象範囲情報を含む、上記入力された検索条件と、デジタルカメラ４１０により撮影された顔写真の画像データとを基地局装置４００に送信する。
【００５９】
図５の５０６で、基地局装置４００は、通信手段４０４を介して受信した携帯通信装置４０５の検索条件を保持手段４０１に保持し、顔写真データを画像保持手段４０３に保持する。
【００６０】
図５の５０７において、基地局装置４００は、他の携帯通信装置４１２、４１３からも、図５の５０１から５０６までと同じ手順で用意された検索条件及び顔写真データも受信し、その検索条件を保持手段４０１に、その顔写真データをメモリ又はハードディスク等の画像保持手段４０３に記録する。
【００６１】
図５の５０８で、検索条件比較手段４０２は、保持手段４０１に保持されている携帯通信装置４０５、４１２、４１３の現在位置を基に、保持手段４０１に保持された携帯通信装置４０５、４１２、及び４１３にそれぞれ対応した複数の検索条件を相互に比較する。
【００６２】
図５の５０９で、上記比較した結果、相互に一致する検索条件がなければ、基地局装置４００は、携帯通信装置４０５、４１２、及び４１３から受信した検索条件を保持手段４０１に保持したままにし、新たに別の検索条件を受信するまで待つ。或いは、基地局装置４００は、図示しないエラー通知作成手段により、通信手段４０４を介して、各ユーザの携帯通信装置４０５，４１２，及び４１３に、検索条件に一致する他ユーザは存在しない旨のエラー通知を送信する。
【００６３】
一方、上記比較した結果、相互に一致する検索条件があれば（例えば、前述した例により、４０５と４１２の検索条件が相互に一致）、図５の５０９で、基地局装置４００が、検索条件が相互に一致した携帯通信装置４０５、４１２に、画像保持手段４０３に保持されているそれぞれの対象ユーザの顔写真データを、図５の５１０で、通信手段４０４を介してそれぞれの携帯通信装置４０５、４１２に送信する。具体的には、４０５の対象ユーザの顔写真データが４１２の対象ユーザの携帯通信装置に送信され、４１２の対象ユーザの顔写真データが４０５の対象ユーザの携帯通信装置に送信される。
【００６４】
図５の５１１で、携帯通信装置４０５及び４１２は、基地局装置４００から受信した顔写真データが表す顔写真を画像出力手段４１０によりディスプレイ画面（図示せず）に表示する。これにより、各対象ユーザは、検索条件が相互に一致する他ユーザがいることを認識できると共に、検索対象範囲を自分の周囲とした場合には、表示された該他ユーザの顔写真を見て、自分の周囲から、相乗りの条件に一致する他ユーザを探すことができる。
【００６５】
以上、本発明の好適な幾つかの実施形態及び実施例を説明したが、これらは本発明の説明のための例示であって、本発明の範囲をこれらの実施形態にのみ限定する趣旨ではない。本発明は、他の種々の形態でも実施することが可能である。
以下、幾つかの例について説明する。
【００６６】
第１の例として、通知データは、着信メロディデータや、顔写真データに限られない。例えば、通知データは、以下の（１）〜（７）のデータ、
（１）前記携帯通信装置に予め登録されている複数種類のサウンド（例えば着信メロディデータ）の中から、所定のサウンド（例えば、ユーザによって現在設定されていないサウンド、又は、他ユーザの携帯通信装置に登録されているサウンドと同一のサウンド）を選択して出力することを示すデータ、
（２）前記出力手段が発光可能な複数の色又は複数の発光パターンの中から、所定の色又は発光パターン（例えば、ユーザによって現在設定されていない色又は発光パターン、或いは、他ユーザの携帯通信装置に登録されている色又は発光パターンと同一のもの）を選択し、選択した色の光を発光する又は選択した発光パターンで発光することを示すデータ、
（３）前記携帯通信装置に予め登録されている複数種類のバイブレーションパターンの中から、所定のバイブレーションパターン（例えば、ユーザによって現在設定されていないバイブレーションパターン、又は、他ユーザの携帯通信装置に登録されているバイブレーションパターンと同一のもの）を選択し、選択したバイブレーションパターンでバイブレーションを実行することを示すデータ、
（４）前記携帯通信装置に予め登録されている複数種類のイメージの中から、所定のイメージ（例えば、ユーザによって現在設定されていないイメージ、又は、他ユーザの携帯通信装置に登録されているイメージと同一のイメージ）を選択し、選択されたイメージを表示することを表すデータ、
（５）発光パターンデータと、その発光パターンデータが表す発光パターンで発光することを示すデータとを含んだデータ、
（６）バイブレーションパターンデータと、そのバイブレーションパターンデータが表すバイブレーションパターンでバイブレーションを実行することを示すデータとを含んだデータ、
（７）イメージデータと、そのイメージデータが表すイメージを表示することを表すデータとを含んだデータ、
のうちの少なくとも１つのデータが含まれた出力制御データであっても良い。このような出力制御データを携帯通信装置が受信した場合には、携帯通信装置は、以下の出力手段、すなわち、外部から何らかのデータを受信したとき、サウンド、光、バイブレーション、及びイメージの少なくとも一つを出力する出力手段の出力動作の種類又は内容を、受信した上記出力制御データに基づいて、通常の出力動作の種類又は内容と異ならせる。
【００６７】
第２の例は、少なくとも２人の対象ユーザを互いにどのようにして会えるようにするかに関するものである。以下、具体的に説明する。
【００６８】
ユーザは、ユーザの属性（例えば、性別、年齢、住まい、名前、電話番号、及び電子メールアドレスの少なくとも一つの項目）に関するユーザ属性情報を、検索条件の入力と共に、或いは予め所定のときに入力することにより、基地局装置又は通信ネットワーク上の他のコンピュータマシンに登録しておく（これは、ユーザがハガキ等の媒体を郵送し、郵送されたオペレータが入力することによって登録されても良い）。
【００６９】
また、基地局装置は、対象ユーザの携帯通信装置に、予め登録されたユーザ属性情報のうち開示しても良い項目を選択させるためのＧＵＩ画面を送信して表示させ、そのＧＵＩ画面を介して、開示しても良い項目（つまり承認された承認項目）の入力を受ける。そして、基地局装置は、各他ユーザに、対象ユーザのユーザ属性情報のうち、対象ユーザによって承認された項目のみを電子メール等の方法で通知する。
【００７０】
また、基地局装置は、それに加えて或いは代えて、対象ユーザが他ユーザとどのように連絡を取り合うかの複数の通信方法の中から対象ユーザ所望の通信方法を選択させるためのＧＵＩ画面（以下、通信方法選択画面）を、各対象携帯通信装置に送信して表示させる（そのＧＵＩ画面は、例えば、上記通知データが電子メールであって、その電子メールに記載されたＵＲＬをクリックされたときのアクセスに応答して送信し表示させるものである）。通信方法選択画面には、例えば、複数の通信方法として、（１）電話、（２）電子メール、（３）顔写真データの交換、（４）基地局を介しての電話、（５）基地局を介しての電子メール、（６）基地局を介してのチャット、の（１）〜（６）がある。
【００７１】
基地局装置は、これら複数の通信方法のうちの一つの通信方法を採用して実行する。採用される通信方法は、例えば、（ａ）全ての対象ユーザが選択した（つまり互いに選択された）通信方法であっても良いし、（ｂ）複数の対象ユーザのうちの一人を優先し、その優先された対象ユーザが選択した通信方法であっても良いし（どの対象ユーザを優先するかは、例えば、所定の基準（例えば名前の５０音順）により決め手も良いし、じゃんけん等のゲームの勝敗により決めても良い）、（ｃ）電話、電子メール、及びチャットの中から一つを上記の方法により選択させて、選択されたものについて全て基地局を介して行うものとしても良い（後述するように、基地局を介して電話等をすれば、自分の電話番号等を相手に秘密にできるので個人情報の保護につながる）。
【００７２】
また、基地局装置は、例えば、（１）の電話を実行する場合には、電子メール等により、他ユーザの電話番号を対象ユーザに知らせ、（２）の電子メールを実行する場合には、電子メール等により、他ユーザの電子メールアドレスを対象ユーザに知らせ、（３）の顔写真データの交換の場合には、既に説明した第２の実施例のようにして顔写真データを交換する。これにより、各対象ユーザは、自発的に、他ユーザに連絡をとったり、周囲を探したりすることで、他ユーザと会うことが図れる。
【００７３】
また、基地局装置は、例えば、（４）基地局を介しての電話、（５）基地局を介しての電子メール、（６）基地局を介してのチャットの場合には、他ユーザの電話番号、電子メールアドレス等は秘密にした状態で、各対象ユーザをして他ユーザと連絡を取り合わせしめる。
【００７４】
以上が、第２の例についての説明である。次に、第３の例について説明する。
【００７５】
第３の例は、対象ユーザの数が、一定数を超えた場合にどのように人数を絞り込むかに関するものである。以下、具体的な例を説明する。
【００７６】
例えば、基地局装置は、各対象ユーザ毎に、２以上の他ユーザを一覧表示するための他ユーザリスト画面を作成して、各対象携帯通信装置に、その対象携帯通信装置の対象ユーザ用の他ユーザリスト画面を送信して表示させる。この他ユーザリスト画面には、例えば、他ユーザに承認された、ユーザ属性情報のうちの承認項目がリスト表示される。
【００７７】
各対象ユーザは、自分の対象携帯通信装置に表示された他ユーザリスト画面上で、その対象ユーザ所望の他ユーザを選択する。基地局装置は、一定数を超えた対象ユーザの中から、互いに選択された選択対象ユーザを特定し、特定された各選択対象ユーザの対象携帯通信装置に上記通知データを送信する。なお、基地局装置は、どの対象ユーザを選択対象ユーザとするかは、例えば、上記のようにお互いに選択し合った対象ユーザを選択対象ユーザとして決定しても良いし、或いは、選択された回数が多い順に対象ユーザを選んで選択対象ユーザとしても良い。
【００７８】
以上が、第３の例についての説明である。
【００７９】
第４の例では、検索条件には、時刻又は時間帯（例えば、タクシーの相乗りであれば、乗車予定時刻又は時間帯）が含まれ、その時刻又は時間帯が相互に一致するか否かに応じて、他ユーザの有無が判断されても良い。
【００８０】
第５の例では、タクシーの相乗り等の場合において、基地局装置が、以下のように、地図情報を利用して、検索条件が相互に一致するか否かを判定することができる。
【００８１】
例えば、検索条件に、乗車予定地点又はエリア、降車予定地点又はエリア、乗車予定時刻又は時間帯が含まれており、基地局装置は、地図情報を取得し、その地図情報と、検索条件に含まれている乗車予定地点又はエリア、降車予定地点又はエリア、及び乗車予定時刻又は時間帯とに基づいて、各ユーザがどこでタクシーに乗ってどこを通りどこで降りるかを推定する。そして、基地局装置は、その推定結果に基づいて、対象ユーザを選定する。例えば、ユーザＡの推定経路上に、ユーザＢの乗車予定地点又はエリアが有り、且つ、ユーザＢの推定経路上に、ユーザＡの降車予定地点又はエリアがあってユーザＣの乗車予定地点又はエリアがある場合には、ユーザＡ、ユーザＢ、及びユーザＣを対象ユーザとして選定し、各ユーザＡ〜Ｃに通知データを送信する。その場合、基地局装置は、各対象ユーザ毎に、何時までにどの地点にいるべきかを算出し、それを報知するためのデータ（例えば、時刻の指定と、その地点の周辺地図を見るための地図画像のＵＲＬとが含まれたデータ）も通知データに含ませておく。それにより、各ユーザＡ〜Ｃは、適切な地点に指定された時刻までに行って、効率的に相乗りすることが可能になる。
【００８２】
なお、この第５の例を抽象的に言えば、例えば、検索条件には、スタート予定地点又はエリア及びゴール予定地点又はエリアが含まれていて、基地局装置は、各ユーザが入力した検索条件に含まれているスタート予定地点又はエリアと、ゴール予定地点又はエリアと、道路情報が含まれている地図情報とに基づいて、各ユーザの経路を推定し、推定された各ユーザの経路に基づいて、相互に一致する検索条件を検索する、つまり対象ユーザを検索する。ここで、対象ユーザが例えば第１のユーザと第２のユーザである場合、例えば、第１のユーザの推定経路と第２のユーザの推定経路とは少なくとも一部が重複している、又は、第１のユーザの推定経路の一端（ゴール予定地点）と第２のユーザの推定経路の一端（スタート予定地点）とが所定距離内（例えば数十〜数百メートル内）にある。
【００８３】
なお、スタート予定地点又はエリア及びゴール予定地点又はエリアは、例えば、携帯通信装置に表示されている上記地図情報が表示された地図画面上で、携帯通信装置を操作して所望の位置を指定する方法により入力することができる。
【００８４】
以上が、第５の例についての説明である。なお、第１の実施例〜第５の例のうちの少なくとも２つを適宜に組合わせることが可能である。
【００８５】
また、本発明の一実施形態を、抽象的に表現するならば、例えば下記のようになる。
【００８６】
複数のユーザがそれぞれ使用する複数の携帯通信装置と、前記複数の携帯通信装置との通信を行なう基地局装置とを含んだシステムであって、
各携帯通信装置が、
自分の現在位置を検出する検出手段と、
前記検出された現在位置に基づいて、ユーザが検索したい他ユーザを検索する際の位置的な検索範囲を作成する作成手段と、
前記他ユーザに関する検索条件を入力する入力手段と、
前記作成された位置的な検索範囲及び前記入力された検索条件を前記基地局装置へ送信する送信手段とを備え、
前記基地局装置が、
前記複数の携帯通信装置にそれぞれ対応した複数の現在位置を検出する検出手段と、
前記複数の携帯通信装置からそれぞれ送信された複数の位置的な検索範囲及び検索条件を受信して記憶する記憶手段と、
前記検出された複数の現在位置と、前記記憶された複数の位置的な検索範囲とに基づいて、前記複数の携帯通信装置の中から、ターゲットの携帯通信装置から受信した位置的な検索範囲内にいる１又は２以上の第１の携帯通信装置を検索する第１の検索手段と、
前記検索された１又は２以上の第１の携帯通信装置の中から、前記ターゲットの携帯通信装置の現在位置を含んだ位置的な検索範囲の送信元である１以上の第２の携帯通信装置を検索する第２の検索手段と、
前記記憶手段に記憶された前記複数の検索条件に基づいて、前記検索された１以上の第２の携帯通信装置の中から、ターゲットの携帯通信装置との間で相互に検索条件を満たし合う第３の携帯通信装置を検索する第３の検索手段と、
前記検索された第３の携帯通信装置と、前記ターゲットの携帯通信装置との両方に、相互に検索条件を満たし合う前記他ユーザがいる旨の通知、又は、前記第３及びターゲットの携帯通信装置のユーザが前記他ユーザと連絡をとるための他ユーザ連絡情報を送信する送信手段と
を備える他ユーザ検索システム。
【図面の簡単な説明】
【図１】は本発明の一実施形態に係る概要を示す概念図。
【図２】は本発明の第１の実施例における構成を示すブロック図。
【図３】は本発明の第１の実施例における動作を示すフロー図。
【図４】は本発明の第２の実施例における構成を示すブロック図。
【図５】は本発明の第２の実施例における動作を示すフロー図。
【符号の説明】
１００・・・基地局
１０１・・・保持手段
１０２・・・検索条件比較手段
１０３・・・通知データ作成手段
１０４・・・通信手段
１０５・・・携帯通信装置
１０６・・・通信手段
１０７・・・検索条件作成手段
１０８・・・対象範囲情報作成手段
１０９・・・現在位置取得手段
１１０・・・通知データ出力手段
２００・・・基地局
２０１・・・保持手段
２０２・・・検索条件比較手段
２０３・・・着信メロディー作成手段
２０４・・・通信手段
２０５・・・携帯通信装置
２０６・・・通信手段
２０７・・・検索条件作成手段
２０８・・・ＧＰＳ
２０９・・・対象範囲情報作成手段
２１０・・・着信メロディー出力手段
２１１・・・携帯通信装置
２１２・・・携帯通信装置
４００・・・基地局
４０１・・・保持手段
４０２・・・検索条件比較手段
４０３・・・画像保持手段
４０４・・・通信手段
４０５・・・携帯通信装置
４０６・・・通信手段
４０７・・・検索条件作成手段
４０８・・・ＧＰＳ
４０９・・・対象範囲情報作成手段
４１０・・・カメラ
４１１・・・画像出力手段
４１２・・・携帯通信装置
４１３・・・携帯通信装置
【図１】
2004221827.tif 000003
【図２】
2004221827.tif 000004
【図３】
2004221827.tif 000005
【図４】
2004221827.tif 000006
【図５】
2004221827.tif 000007